(57)【要約】 【課題】販売商品の商品名や価格を確認しながらスムーズに登録処理すること。【解決手段】商品販売登録データ処理装置は、販売商品に付けられ、販売商品のデータを含むバーコードを読み取って少なくとも商品販売の登録処理を行う商品販売登録データ処理装置において、販売商品に付けられた少なくともバーコードを撮像する撮像装置と、撮像装置の撮像により取得された画像データ中のバーコードを識別し、この識別したバーコードに含まれる販売商品のデータを読み取るバーコード情報読取部と、表示部と、バーコード情報読取部により読み取られた販売商品データと撮像装置の撮像により取得された画像データ中に含まれるバーコードの画像データとを合成した合成画像データを表示部に表示する表示制御部とを具備する。【選択図】図２
2011248917.tif 000002
【特許請求の範囲】
【請求項１】
販売商品に付けられ、前記販売商品のデータを含むバーコードを読み取って少なくとも商品販売の登録処理を行う商品販売登録データ処理装置において、
前記販売商品に付けられた少なくとも前記バーコードを撮像する撮像装置と、
前記撮像装置の撮像により取得された画像データ中の前記バーコードを識別し、この識別した前記バーコードに含まれる前記販売商品のデータを読み取るバーコード情報読取部と、
表示部と、
前記バーコード情報読取部により読み取られた前記販売商品のデータと前記撮像装置の撮像により取得された前記画像データ中に含まれる前記バーコードの画像データとを合成した合成画像データを前記表示部に表示する表示制御部と、
を具備することを特徴とする商品販売登録データ処理装置。
【請求項２】
前記撮像装置は、前記バーコードを撮像して動画の前記画像データを出力し、
前記バーコード情報読取部は、前記動画の前記画像データ中から１枚のフレームをチャプタし、このチャプタ画像データ中の前記バーコードに基づいて前記販売商品のデータを読み取る、
ことを特徴とする請求項１記載の商品販売登録データ処理装置。
【請求項３】
前記表示制御部は、前記撮影装置により撮影された前記画像データ中に含まれる前記バーコードに枠を付加した前記画像データを前記表示部に表示する、
ことを特徴とする請求項１記載の商品販売登録データ処理装置。
【請求項４】
前記撮像装置により撮像された前記画像データ中に含まれる前記バーコードを選択指示するためのバーコード選択部を備え、
前記バーコード情報読取部は、前記バーコード選択部により選択指示された前記バーコードに含む前記販売商品のデータを読み取る、
ことを特徴とする請求項１記載の商品販売登録データ処理装置。
【請求項５】
前記バーコード選択部は、前記表示部に設けられたタッチパネルであり、前記タッチパネルに対するタッチ操作部分のタッチ位置データを送出し、
前記バーコード情報読取部は、前記タッチパネルから送出された前記タッチ位置データに対応する前記バーコードを前記画像データから識別し、この識別された前記バーコードに含む前記販売商品のデータを読み取る、
ことを特徴とする請求項４記載の商品販売登録データ処理装置。
【請求項６】
前記表示制御部は、前記バーコード選択部で選択されたバーコードに付加された前記枠について、この枠の色を変えた前記画像データを前記表示部に表示することを特徴とする請求項４記載の商品販売登録データ処理装置。
【発明の詳細な説明】
【技術分野】
【０００１】
本発明は、販売商品に付けられたバーコードを読み取って商品販売の登録処理を行う商品販売登録データ処理装置に関する。
【背景技術】
【０００２】
スーパマーケットやコンビニエンスストア、百貨店等の小売店には、現金やクレジットカードを用いて商取引を行う電子キャッシュレジスタが設けられている。この電子キャッシュレジスタには、販売商品に付けられたバーコードを読み取って商品販売の登録処理を行う商品販売登録データ処理装置が設けられている。バーコードには、販売商品の商品名、販売商品の価格（単価）のデータ、日時データ、販売商品の値引き額のデータのうち幾つかのデータが含まれる。商品販売登録データ処理装置は、スキャナ等により複数の販売商品に付けられた各バーコードを順次読み取り、これらバーコードから販売商品の商品名、販売商品の価格（単価）のデータ、日時データ、販売商品の値引き額のデータなどを認識して登録処理する。
【０００３】
このような商品販売登録データ処理装置に関する技術としては、例えば特許文献１がある。特許文献１は、商品に付加されているバーコードを識別する読取装置に関し、例えば納品された商品を検品するために、例えば幕の内弁当やハンバーグ弁当等の複数の商品を載置したトレー全体をデジタルカメラで撮像してそのイメージデータを取得し、このイメージデータをサーチして１つの商品に付されたバーコードを識別し、イメージデータに対するサーチを繰り返すことによりイメージデータ内の全てのバーコードを識別してバーコードデータ及び商品名データから成る商品情報を取得することを開示する。  
【先行技術文献】
【特許文献】
【０００４】
【特許文献１】特開平９−１１４９１３号公報
【発明の概要】
【発明が解決しようとする課題】
【０００５】
特許文献１は、登録処理するときの販売商品の商品名や価格（単価）を確認しながらスムーズに登録処理する技術については開示されていない。  
本発明の目的は、販売商品の商品名や価格（単価）を確認しながらスムーズに登録処理できる商品販売登録データ処理装置を提供することにある。
【課題を解決するための手段】
【０００６】
本発明の主要な局面に係る商品販売登録データ処理装置は、販売商品に付けられ、前記販売商品のデータを含むバーコードを読み取って少なくとも商品販売の登録処理を行う商品販売登録データ処理装置において、前記販売商品に付けられた少なくとも前記バーコードを撮像する撮像装置と、前記撮像装置の撮像により取得された画像データ中の前記バーコードを識別し、この識別した前記バーコードに含まれる前記販売商品のデータを読み取るバーコード情報読取部と、表示部と、前記バーコード情報読取部により読み取られた前記販売商品データと前記撮像装置の撮像により取得された前記画像データ中に含まれる前記バーコードの画像データとを合成した合成画像データを前記表示部に表示する表示制御部とを具備する。
【発明の効果】
【０００７】
本発明によれば、販売商品の商品名や価格（単価）を確認しながらスムーズに登録処理できる商品販売登録データ処理装置を提供できる。
【図面の簡単な説明】
【０００８】
【図１】本発明に係る商品販売登録データ処理装置の一実施の形態を適用した電子キャッシュレジスタを示す構成図。
【図２】同装置の機能ブロック図。
【図３】同装置における商品販売登録データ処理フローチャート。
【図４】同装置におけるトランデータベースに保存するバーコードを囲む枠を付加したチャプタ画像データを示す図。
【図５】同装置におけるディスプレイに表示される登録処理モードにおける販売商品の販売商品データを示す図。
【図６】同装置におけるディスプレイに表示される登録処理モードにおけるバーコードのチャプタ画像データを示す図。
【図７】同装置におけるディスプレイに表示される登録処理モードにおける販売商品データとチャプタ画像データとの合成画像データを示す図。
【図８】同装置におけるディスプレイの表示面に表示された複数のバーコードのラベルを含むチャプタ画像データを示す図。
【図９】同装置におけるディスプレイの表示面に表示されたバーコードに枠を付加したチャプタ画像データを示す図。
【図１０】同装置におけるディスプレイの表示面に表示された複数の青色の枠から選択された１つの赤色の枠に変更したチャプタ画像データを示す図。
【発明を実施するための形態】
【０００９】
以下、本発明の一実施の形態について図面を参照して説明する。  
図１は商品販売登録データ処理装置を適用した電子キャッシュレジスタの外観図を示す。電子キャッシュレジスタは、ＰＯＳシステムの一端末を構成する。商品販売登録データ処理装置本体１には、キーボード２と、ディスプレイ３とが設けられている。キーボード２は、例えばオペレータのマニュアル操作により登録処理を行うときに販売商品の価格等を入力するときに用いる。ディスプレイ３は、例えば液晶ディスプレイ等であり、登録処理モードにおいて入力された販売商品の商品名や単価、点数、割引金額、金額等を表示する。
【００１０】
撮像装置としてのウェブカメラ４が例えばディスプレイ３の上端部に取り付けられている。このウェブカメラ４は、例えばオペレータによって把持されている販売商品Ａを撮像し、動画の画像データとして出力する。このウェブカメラ４は、例えばインターネット等の回線網に接続するに最適である。このウェブカメラ４は、複数の撮像素子であるＣＣＤ又はＣＭＯＳを用いて成るカメラであり、超小型のサイズである。このウェブカメラ４は、例えばディスプレイ３の上端部に対して取り付け、取り外し可能であり、かつ全方向に対して首振り可能である。
【００１１】
販売商品Ａには、バーコードＢの付されたラベルＬが貼り付けられている。バーコードＢは、販売商品Ａの商品名（例えば缶コーヒ、ケーキ等）のデータ、販売商品Ａの価格（単価、例えば１１０円、２５０円等）のデータ、日時データ（2007-4-1等）、販売商品Ａの値引き額（例えば２００円引き、３０％引き等）のデータのうち幾つかのデータが含まれる。
【００１２】
図２は商品販売登録データ処理装置の機能ブロック図を示す。主制御部５は、ＣＰＵ等から成る。この主制御部５には、プログラムメモリ６と、トランデータベース７と、販売商品データメモリ８とが接続されると共に、キーボード２と、ディスプレイ３と、ウェブカメラ４と、タッチパネル９とが接続されている。  
プログラムメモリ６には、予め商品販売登録データ処理プログラムが記憶されている。この商品販売登録データ処理プログラムは、ウェブカメラ４の撮像により取得された画像データ中のバーコードＢに基づいて読み取られた販売商品Ａのデータと、ウェブカメラ４の撮像により取得されたバーコードＢの画像データと、販売商品ＡのデータとバーコードＢの画像データとを合成した合成画像データとのうちいずれか１つのデータに切り替えてディスプレイ３に表示させる内容を有する。  
トランデータベース７には、例えば、主制御部５の指令によりウェブカメラ４の撮像により取得されたバーコードＢを含む画像データ等が記憶される。特にトランデータベース７には、バーコードＢに含む販売商品Ａの値引き額のデータのうち値引き額の大きいデータや値引き率の高いデータ（例えば４０％引き以上等）の画像データ等が記憶される。
【００１３】
販売商品データメモリ８には、例えばウェブカメラ４の撮像により取得されたバーコードＢを含む画像データ中に複数のバーコードＢが撮像されていた場合、これらバーコードＢを選択する優先順位のデータが記憶されている。この優先順位のデータは、例えばバーコードＢに含むデータのうち例えば日時順、値引き額順等である。販売商品データメモリ８に記憶されている優先順位のデータは、販売商品Ａの値引き率又は値引き額と、この値引き率又は値引き額により販売商品Ａを販売する日時とを設定し、サービス品の販売商品Ａとそのサービスタイムとを設定してもよい。なお、優先順位のデータの設定は、電子キャッシュレジスタにおける業務モードで行えばよい。
【００１４】
タッチパネル９は、ディスプレイ３の表示面の前面に設けられている。このタッチパネル９は、例えばオペレータの指先でタッチされると、このタッチ操作部分のタッチ位置データすなわち座標データを送出する。例えば、ディスプレイ３の表示面上に複数のバーコードＢが表示された場合、これらバーコードＢの中からオペレータのマニュアル操作により１つのバーコードＢが選択される。このとき、オペレータは、ディスプレイ３の表示面上に表示されているバーコードＢ上のタッチパネル９をタッチ操作する。従って、タッチパネル９は、オペレータのマニュアル操作により選択された１つのバーコードＢの画像データ中における座標データを送出するバーコード選択部として作用する。
【００１５】
主制御部５は、プログラムメモリ６に記憶されている商品販売登録データ処理プログラムを実行することにより自動バーコード情報読取部１０と、手動バーコード情報読取部１１と、表示制御部１２との機能を有する。  
自動及び手動バーコード情報読取部１０、１１は、ウェブカメラ４の撮像により取得された画像データ中のバーコードＢを識別し、このバーコードＢを例えば文字コードに変換して販売商品Ａの販売商品データを読み取る。具体的に、これら自動及び手動バーコード情報読取部１０、１１は、ウェブカメラ４から出力された動画の画像データ中からバーコードＢにフォーカスされたときの１枚の画像データすなわち動画の画像データ中から１枚のフレームをチャプタし、予め格納されているバーコード識別プログラムを実行してチャプタ画像データ中のバーコードＢを識別し、このバーコードＢを例えば文字コードに変換して販売商品Ａの販売商品データを読み取る。なお、チャプタ画像データは、例えばJPEGの形式により成る。自動及び手動バーコード情報読取部１０、１１は、チャプタしたチャプタ画像データを画像データ保存部としての例えばトランスデータベース７に保存する。
【００１６】
このうち自動バーコード情報読取部１０は、チャプタ画像データ中に複数のバーコードBが含まれていると、このチャプタ画像データの中から複数の全てのバーコードＢを識別し、これら識別した各バーコードＢを囲む大きさの各枠に相当するチャプタ画像データ中の各画像データをそれぞれ例えば青色の枠の各画像データに変更する。これにより、チャプタ画像には、青色の枠が付加される。なお、バーコードＢを囲む大きさの枠は、例えば四角形等に形成されている。自動バーコード情報読取部１０は、複数のバーコードＢを識別すると、これらバーコードＢから各販売商品データを読み取り、これら販売商品データと、販売商品データメモリ８に記憶されている優先順位のデータ例えばバーコードＢに含むデータのうち例えば日時順、値引き額順等とに従って複数のバーコードＢから１つのバーコードＢを選択する。自動バーコード情報読取部１０は、選択した１つのバーコードＢを囲む大きさの枠に相当するチャプタ画像データ中の画像データを青色から例えば赤色の画像データに変更する。自動バーコード情報読取部１０は、青色から赤色の枠の画像データに変更したチャプタ画像データを画像データ保存部としての例えばトランスデータベース７に保存する。
【００１７】
手動バーコード情報読取部１１は、チャプタ画像データ中に複数のバーコードＢが含まれていると、チャプタ画像データの中から複数の全てのバーコードＢを識別し、これら識別した各バーコードＢを囲む大きさの各枠に相当するチャプタ画像データ中の各画像データをそれぞれ例えば青色の各画像データに変更する。この状態で、手動バーコード情報読取部１１は、バーコード選択部であるタッチパネル９から出力されたチャプタ画像データにおける座標データを受けると、この座標データに対応するバーコードＢを複数のバーコードの中から選択する。手動バーコード情報読取部１１は、選択した１つのバーコードＢを囲む大きさの枠に相当するチャプタ画像データ中の画像データを青色から例えば赤色の画像データに変更する。手動バーコード情報読取部１１は、青色から赤色の枠の画像データに変更したチャプタ画像データをトランスデータベース７に保存する。
【００１８】
なお、自動バーコード情報読取部１０を動作させる自動モードと、手動バーコード情報読取部１１を動作させる手動モードとは、例えばキーボード２のキー操作によって切替可能である。
【００１９】
表示制御部１２は、自動又は手動バーコード情報読取部１０、１１によりチャプタされたチャプタ画像データ、青色の枠の画像データが付加されたチャプタ画像データ、又は青色の枠が赤色の枠に変更されたチャプタ画像データなどをディスプレイ３の表示面に表示する。
【００２０】
又、表示制御部１２は、自動又は手動バーコード情報読取部１０、１１により読み取られた販売商品Ａの販売商品データ、ウェブカメラ４の撮像により取得されたバーコードＢのチャプタ画像データ、又は販売商品Ａの販売商品データとチャプタ画像データとを合成した合成画像データのうちいずれか１つのデータに切り替えてディスプレイ３の表示面に表示する。販売商品Ａの販売商品データと、バーコードＢのチャプタ画像データと、販売商品Ａの販売商品データとチャプタ画像データとを合成した合成画像データとの切り替えスイッチは、例えばディスプレイ３の表示面上にタッチ切替スイッチとして表示させたり、又はキーボード２中の１つのキーを切替スイッチとして用いてもよい。
【００２１】
合成画像データは、例えば販売商品Ａの販売商品データとチャプタ画像データとを重ね合せて１つの画像データを形成する。この合成画像データをディスプレイ３に表示すると、いわゆる販売商品データとチャプタ画像とがそれぞれ光透過性を有し、販売商品データとチャプタ画像との両方が視覚的に見える。又、合成画像データは、例えば縦方向又は横方向に分割し、このうちの一方側を販売商品Ａの販売商品データとし、他方側をチャプタ画像データとして１つの画像データを形成する。この合成画像データをディスプレイ３に表示すると、ディスプレイ３の画面は、例えば左右に２分割され、左側に販売商品Ａの販売商品データが表示され、右側にチャプタ画像データが表示される。なお、ディスプレイ３の画面を分割して表示するのは、２分割に限らず、２分割以上の複数に分割し、販売商品データやチャプタ画像データに限らず、他の画像データを表示する多重表示にしてもよい。
【００２２】
次に、上記の如く構成された装置による商品販売登録データ処理について図３に示す商品販売登録データ処理フローチャートを参照して説明する。  
商品販売登録データ処理装置本体１が登録モードに設定されている状態で、オペレータは、販売商品Ａを把持してウェブカメラ４の撮像領域に配置する。このとき、オペレータは、販売商品Ａに付けられているラベルＬ上のバーコードＢをウェブカメラ４に向けて配置すると共に、ウェブカメラ４のフォーカス位置にバーコードＢが配置されるように販売商品Ａをウェブカメラ４に対して近付けたり遠ざけたりする。ウェブカメラ４は、例えばオペレータによって把持されている販売商品Ａに付けられたバーコードＢを撮像し、その動画の画像データを出力する。このとき、ウェブカメラ４は、販売商品Ａに付けられたバーコードＢを撮像するだけでなく、販売商品Ａの背景も撮像する。
【００２３】
ここで、バーコードＢの読取が自動モードに設定されていると、自動バーコード情報読取部１０は、ステップ＃１において、ウェブカメラ４から出力された動画の画像データを取り込み、ステップ＃２において、これら画像データからバーコードＢにフォーカスされたときの１枚のフレームをチャプタする。
【００２４】
次に、自動バーコード情報読取部１０は、ステップ＃３において、バーコード識別プログラムを実行してチャプタ画像データを解析し、チャプタ画像データ中からバーコードＢを識別する。自動バーコード情報読取部１０は、チャプタ画像データ中からバーコードＢを識別すると、この識別したバーコードＢを囲む大きさの枠に相当するチャプタ画像データ中の画像データを例えば青色の枠の画像データに変更する。これにより、チャプタ画像には、青色の枠が付加される。表示制御部１２は、図４に示すように自動バーコード情報読取部１０により青色の枠１５の画像データが付加されたチャプタ画像データをディスプレイ３の表示面に表示する。
【００２５】
自動バーコード情報読取部１０は、チャプタ画像データ中からバーコードＢを識別すると、ステップ＃４からステップ＃５に移り、バーコードＢを例えば文字コードに変換して販売商品Ａの販売商品データを読み取る。例えば、自動バーコード情報読取部１０は、販売商品Ａの販売商品データとして販売商品Ａの商品名（例えば缶コーヒ）のデータ、販売商品Ａの価格（単価、例えば１１０円）のデータ、日時データ（2007-4-1）等を読み取る。
【００２６】
次に、表示制御部１２は、ステップ＃６において、自動バーコード情報読取部１０により読み取られた販売商品Ａの販売商品データ、ウェブカメラ４の撮像により取得されたバーコードＢのチャプタ画像データ、又は販売商品Ａの販売商品データとチャプタ画像データとを合成した合成画像データのうちいずれか１つのデータに切り替えてディスプレイ３の表示面に表示する。  
すなわち、ディスプレイ３の表示面上には、例えばタッチ切替スイッチ１４が表示されている。このタッチ切替スイッチ１４は、図５に示す販売商品Ａの販売商品データと、図６に示すチャプタ画像データと、図７に示す販売商品データとチャプタ画像データとの合成画像データとを切り替えるタッチスイッチである。表示制御部１２は、タッチ切替スイッチ１４が例えばオペレータによってタッチ操作される度に図５に示す販売商品Ａの販売商品データと、図６に示すチャプタ画像データと、図７に示す販売商品データとチャプタ画像データとの合成画像データとを順次切り替えてディスプレイ３の表示面に表示する。
【００２７】
例えば、ディスプレイ３の表示面への表示が販売商品Ａの販売商品データに設定されていれば、表示制御部１２は、登録処理モードにおいて、図５に示すようにディスプレイ３の表示面に販売商品Ａの販売商品データとして販売商品Ａの商品名（例えば缶コーヒ）のデータ、販売商品Ａの価格（単価、例えば１１０円）のデータ、点数、値引き、金額等を表示する。点数は、販売商品Ａの数量であり、金額は、数量分の販売商品Ａの価格であって、例えば販売商品Ａの単価（例えば１１０円）が点数３個であれば、金額は、３３０円になる。このような登録処理モードにおける販売商品Ａの販売商品データの表示であれば、販売商品Ａの販売商品データの登録処理が確実に分かる。
【００２８】
ディスプレイ３の表示面への表示がウェブカメラ４の撮像により取得されたバーコードＢのチャプタ画像データに設定されていれば、表示制御部１２は、登録処理モードにおいて、図６に示すようにディスプレイ３の表示面にバーコードＢのチャプタ画像データを表示する。オペレータによって販売商品ＡがバーコードＢをウェブカメラ４に向け、かつウェブカメラ４のフォーカス位置にバーコードＢを配置するので、ディスプレイ３に表示されるチャプタ画像データは、バーコードＢが画像の中央部に配置され、かつバーコードＢに対してフォーカスされている。このような登録処理モードにおけるチャプタ画像データの表示であれば、登録処理される販売商品Ａ及びバーコードＢがウェブカメラ４のフォーカス位置に配置される状態が動画で表示されるので、短時間で販売商品Ａに付けられたバーコードＢをウェブカメラ４のフォーカス位置に配置できる。
【００２９】
又、チャプタ画像データには、販売商品Ａに付けられたバーコードＢを撮像するだけでなく、販売商品Ａの背景も含む。これにより、販売商品Ａの背景の状況が分かる。オペレータは、商品販売登録データ処理装置本体１の正面すなわちウェブカメラ４に対向しているので、ウェブカメラ４は、オペレータの背後の状況を撮像する。しかるに、ディスプレイ３の表示面には、オペレータの背後の状況も動画で表示される。
【００３０】
ディスプレイ３の表示面への表示が販売商品Ａの販売商品データとチャプタ画像データとを合成した合成画像データに設定されていれば、表示制御部１２は、登録処理モードにおいて、図７に示すようにディスプレイ３の表示面に図５に示す販売商品Ａの販売商品データと図６に示すチャプタ画像データとを合成した合成画像データを表示する。図７に示すようなディスプレイ３に表示するための合成画像データは、販売商品Ａの販売商品データとチャプタ画像データとを重ね合せて１つの画像データを形成する。ディスプレイ３に表示された合成画像データは、販売商品データとチャプタ画像とがそれぞれ光透過性を有し、販売商品データとチャプタ画像との両方が視覚的に見える。このような登録処理モードにおける販売商品Ａの販売商品データとチャプタ画像データとの表示であれば、販売商品Ａの販売商品データの登録処理が確実に分かると共に、短時間で販売商品Ａに付けられたバーコードＢをウェブカメラ４のフォーカス位置に配置できる。  
次に、自動バーコード情報読取部１０は、チャプタしたチャプタ画像データ、例えば図４に示すように青色の枠１５の画像データを付加したチャプタ画像データをトランデータベース７に保存する。
【００３１】
次に、電子キャッシュレジスタでは、ステップ＃７において、ＰＯＳアプリケーションの実行によりバーコードＢの文字コードの入力処理が行われ、次にステップ＃８において、ＰＯＳ登録処理された各販売商品Ａの売り上げを求める売り上げ処理が行われる。
【００３２】
一方、販売商品Ａは、複数のバーコードＢのラベルＬが貼られることがある。例えば、販売商品Ａの本来の単価のデータを含むバーコードＢのラベルＬと、値引き額や値引き率のデータを含むバーコードＢのラベルＬとなどである。図８はディスプレイ３の表示面に表示された複数のバーコードＢ１〜Ｂ３の各ラベルＬ１〜Ｌ３を含むチャプタ画像データを示す。バーコードＢ１は、販売商品Ａの本来の単価のデータを含む。バーコードＢ２は、例えば値引き率（例えば３０％引き）のデータを含む。バーコードＢ３は、例えば値引き額（例えば２００円引き）のデータを含む。
【００３３】
チャプタ画像データに複数のバーコードＢ１〜Ｂ３の各ラベルＬ１〜Ｌ３が含まれる場合で、例えばタッチ切替スイッチ１４をタッチ操作する毎に、表示制御部１２は、図８に示す複数のバーコードＢ１〜Ｂ３を含むチャプタ画像データと、図４に示すような販売商品Ａの販売商品データと、図８に示す複数のバーコードＢ１〜Ｂ３を含むチャプタ画像データ及び図４に示す販売商品Ａの販売商品データの合成画像データとを順次切り替えてディスプレイ３の表示面に表示する。
【００３４】
自動バーコード情報読取部１０は、チャプタ画像データの中から複数の全てのバーコードＢ１〜Ｂ３を識別し、これら識別した各バーコードＢ１〜Ｂ３を囲む大きさの各枠に相当するチャプタ画像データ中の各画像データをそれぞれ例えば青色の枠の各画像データに変更する。図９はディスプレイ３の表示面に表示される各バーコードＢ１〜Ｂ３に各青色の枠１５ａ〜１５ｃをそれぞれ付加したチャプタ画像の一例を示す。
【００３５】
次に、自動バーコード情報読取部１０は、ステップ＃３〜＃４において、識別した各バーコードＢ１〜Ｂ３から各販売商品データを読み取り、これら販売商品データと、販売商品データメモリ８に記憶されている優先順位のデータ例えばバーコードＢ１〜Ｂ３のそれぞれに含むデータのうち例えば日時順、値引き額順等とに従って複数のバーコードＢ１〜Ｂ３から１つのバーコードを選択する。例えば、優先順位データにより例えば値引き率を優先することが設定されていると、自動バーコード情報読取部１０は、全てのバーコードＢ１〜Ｂ３に対する識別により得られるバーコードＢ１の本来の単価のデータと、バーコードＢ２の値引き率（例えば３０％引き）と、バーコードＢ３の値引き額（例えば２００円引き）とを対比し、これらの中から優先順位データにより設定された例えば値引き率（例えば３０％引き）の１つのバーコードＢ２を自動的に選択する。そして、自動バーコード情報読取部１０は、ステップ＃５において、１つのバーコードＢ２を例えば文字コードに変換して販売商品Ａの販売商品データを読み取る。
【００３６】
次に、自動バーコード情報読取部１０は、自動的に選択した１つのバーコードＢ２を囲む大きさの枠に相当するチャプタ画像データ中の画像データを青色の枠１５ｂから例えば赤色の枠１６の画像データに変更する。  
次に、表示制御部１２は、ステップ＃６において、例えば図１０に示すように自動バーコード情報読取部１０により青色の枠１５ａから赤色の枠１６の画像データに変更されたチャプタ画像データをディスプレイ３の表示面に表示する。又、自動バーコード情報読取部１０は、青色の枠１５ａから赤色の枠１６の画像データに変更したチャプタ画像データをトランスデータベース７に保存する。なお、自動バーコード情報読取部１０は、バーコードＢ２から認識した値引き率（例えば３０％引き）を図５に示す販売商品Ａの販売商品データの値引きの欄に加える。
【００３７】
又、自動バーコード情報読取部１０は、自動的に選択した１つのバーコードＢ２に含まれるデータのうち例えば販売商品Ａの値引き率が予め設定された値引き率、例えば値引き率４０％よりも大きい否かを判断する。この判断の結果、販売商品Ａの値引き率が予め設定された値引き率４０％よりも大きければ、自動バーコード情報読取部１０は、自動的に選択した１つのバーコードＢ２を囲む大きさの枠に相当するチャプタ画像データ中の画像データを青色の枠１５ｂから例えば赤色又は黄色等の枠の画像データに変更する。次に、表示制御部１２は、自動バーコード情報読取部１０により青色の枠１５ｂから赤色又は黄色等の枠の画像データに変更されたチャプタ画像データをディスプレイ３の表示面に表示する。そして、自動バーコード情報読取部１０は、青色の枠１５ｂから赤色又は黄色等の枠の画像データに変更したチャプタ画像データをトランスデータベース７に保存する。
【００３８】
次に、電子キャッシュレジスタでは、上記同様に、ステップ＃７において、ＰＯＳアプリケーションの実行によりバーコードＢ２の文字コードの入力処理が行われ、次にステップ＃８において、ＰＯＳ登録処理された各販売商品Ａの売り上げを求める売り上げ処理が行われる。
【００３９】
一方、手動モードに設定されていると、手動バーコード情報読取部１１は、チャプタ画像データの中から複数の全てのバーコードＢ１〜Ｂ３を識別し、これら識別した各バーコードＢ１〜Ｂ３を囲む大きさの各枠に相当するチャプタ画像データ中の各画像データをそれぞれ例えば青色の枠の各画像データに変更する。表示制御部１２は、例えば図９に示すように各バーコードＢ１〜Ｂ３に各青色の枠１５ａ〜１５ｃをそれぞれ付加したチャプタ画像データをディスプレイ３の表示面に表示する。
【００４０】
この状態で、手動バーコード情報読取部１１は、バーコード選択部であるタッチパネル９から出力される座標データの受付待ちの状態にある。オペレータは、ディスプレイ３の表示面に表示された例えば図９に示すように各バーコードＢ１〜Ｂ３に各青色の枠１５ａ〜１５ｃが付加したチャプタ画像データを見て各バーコードＢ１〜Ｂ３のうちいずれか１つのバーコードを選択する。オペレータは、例えばバーコードＢ２を選択するためにディスプレイ３の表示面上のバーコードＢ２の部分をタッチする。これにより、タッチパネル９は、オペレータによるタッチ操作部分の座標データを送出する。
【００４１】
手動バーコード情報読取部１１は、タッチパネル９から出力された座標データを受けると、ステップ＃４において、この座標データに対応するチャプタ画像データ上の１つのバーコードＢ２を識別し、この選択した１つのバーコードＢ２を囲む大きさの枠に相当するチャプタ画像データ中の画像データを青色の枠１５ｂから例えば赤色の枠１６の画像データに変更する。そして、手動バーコード情報読取部１１は、ステップ＃５において、１つのバーコードＢ２を例えば文字コードに変換して販売商品Ａの販売商品データを読み取る。
【００４２】
次に、表示制御部１２は、ステップ＃６において、例えば図１０に示すように手動バーコード情報読取部１１により青色の枠１５ａから赤色の枠１６の画像データに変更されたチャプタ画像データをディスプレイ３の表示面に表示する。そして、手動バーコード情報読取部１１は、青色の枠１５ａから赤色の枠１６の画像データに変更したチャプタ画像データをトランスデータベース７に保存する。なお、手動バーコード情報読取部１１は、バーコードＢ２から認識した値引き率（例えば３０％引き）を図５に示す販売商品Ａの販売商品データの値引きの欄に加える。
【００４３】
次に、電子キャッシュレジスタでは、上記同様に、ステップ＃７において、ＰＯＳアプリケーションの実行によりバーコードＢ２の文字コードの入力処理が行われ、次にステップ＃８において、ＰＯＳ登録処理された各販売商品Ａの売り上げを求める売り上げ処理が行われる。
【００４４】
このように上記一実施の形態によれば、登録処理モードにおいて、販売商品Ａの販売商品データと、ウェブカメラ４の撮像により取得されたバーコードＢのチャプタ画像データと、販売商品Ａの販売商品データとチャプタ画像データとを合成した合成画像データとのうちいずれか１つのデータをディスプレイ３の表示面に表示する。これにより、販売商品Ａの販売商品データの登録処理が確実に分かると共に、短時間で販売商品Ａに付けられたバーコードＢをウェブカメラ４のフォーカス位置に配置できる。販売商品Ａの商品名や価格（単価）を確認しながらスムーズに登録処理ができる。
【００４５】
自動バーコード情報読取部１０は、チャプタ画像データ中に複数のバーコードＢが含まれると、複数のバーコードＢの各販売商品データを認識し、これら販売商品データと、販売商品データメモリ８に記憶されている優先順位のデータ、例えばバーコードＢに含むデータのうち例えば日時順、値引き額順等に従って複数のバーコードＢから例えば１つのバーコードＢ１を自動的に選択できる。  
又、オペレータによってディスプレイ３の表示面上の例えば１つのバーコードＢ１の部分をタッチすれば、手動バーコード情報読取部１１は、タッチパネル９から出力された座標データに対応するチャプタ画像データ上の１つのバーコードＢ１を識別し、このバーコードＢ１を選択できる。
【００４６】
これら自動及び手動バーコード情報読取部１０、１１により１つのバーコードＢ１を識別できるので、販売商品ＡにバーコードＢを付した複数のラベルＬが貼られたとしても、これらバーコードＢ１〜Ｂ３から有効な例えばバーコードＢ１を選択できる。
【００４７】
自動又は手動バーコード情報読取部１０、１１は、選択した１つの例えばバーコードＢ２に付加した枠１５、１６の色を変えてトランデータベース７に保存したり、例えばバーコードＢ２に含まれるデータのうち販売商品Ａの値引き率等が予め設定された値引き率（例えば４０％以上）よりも大きければ、当該１つのバーコードＢ１に付加した枠１５、１６の色を例えば青色から赤色、黄色等に変えてトランデータベース７に保存する。これにより、例えば赤色、黄色等に変えられている枠１５、１６により囲まれたバーコードＢ２等を検索することにより、トランデータベース７に保存されたバーコードＢ２に含まれる販売商品Ａの値引き率等をチェックすることができ、このチェックから販売商品Ａの値引き率等が例えば不正に大きいか否かを調査できる。
【００４８】
ウェブカメラ４は、オペレータの背後の状況を撮像するので、オペレータの背後の状況を動画で表示できる。これにより、オペレータは、登録処理しながらディスプレイ３の表示面を見ることによりオペレータの背後を監視できる。ウェブカメラ４は、小型であるので、商品販売登録データ処理装置本体１において、販売商品Ａを撮像するのに支障がなく、かつオペレータによって販売商品Ａを把持してウェブカメラ４の撮像領域内に配置して登録処理し易いところに取り付けることができる。
【００４９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
【符号の説明】
【００５０】
１：商品販売登録データ処理装置本体、２：キーボード、３：ディスプレイ、４：ウェブカメラ、５：主制御部、６：プログラムメモリ、７：トランデータベース、８：販売商品データメモリ、９：タッチパネル、１０：自動バーコード情報読取部、１１：手動バーコード情報読取部、１２：表示制御部、１４：タッチ切替スイッチ、１５，１６：枠、Ａ：販売商品、Ｂ：バーコード、Ｌ：ラベル。
【図１】
2011248917.tif 000003
【図２】
2011248917.tif 000004
【図３】
2011248917.tif 000005
【図４】
2011248917.tif 000006
【図５】
2011248917.tif 000007
【図６】
2011248917.tif 000008
【図７】
2011248917.tif 000009
【図８】
2011248917.tif 000010
【図９】
2011248917.tif 000011
【図１０】
2011248917.tif 000012